(57)【特許請求の範囲】
【請求項１】
吸気通路に設けられたコンプレッサを備えたターボ過給機と、目標トルクに応じて吸入空気量を制御する空気量制御手段と、点火装置による点火時期を制御する点火時期制御手段とを有するエンジンを、車両の運転状態に基づき制御するターボ過給機付きエンジンの制御装置であって、
アクセルペダルの操作を含む車両の運転状態に基づき基本目標トルクを決定する基本目標トルク決定手段と、
車両の旋回状態を検出する旋回状態検出手段と、
上記旋回状態に基づき、エンジンのトルクを低減させ、その後にトルクを上昇させるように、トルク低減量を決定するトルク低減量決定手段と、
上記基本目標トルクと上記トルク低減量とに基づき最終目標トルクを決定する最終目標トルク決定手段と、を有し、
上記空気量制御手段は、上記最終目標トルクを上記エンジンに出力させるための目標空気量を決定し、その目標空気量を実現するように吸入空気量を制御し、
上記点火時期制御手段は、上記吸入空気量に応じて、上記最終目標トルクを上記エンジンに出力させるように上記点火装置による点火時期を制御し、
上記空気量制御手段は、エンジンの運転状態が上記コンプレッサにより過給を行う過給領域にある場合、上記トルク低減量の増大に応じた吸入空気量の低下を制限し、
上記点火時期制御手段は、上記トルク低減量の増大に応じた吸入空気量の低下が制限されている場合、吸入空気量の低下が制限されない場合よりも点火時期を遅角させることを特徴とするターボ過給機付きエンジンの制御装置。
【請求項２】
上記空気量制御手段は、エンジンの運転状態が上記コンプレッサにより過給を行う過給領域にある場合、上記トルク低減量の増大に応じた吸入空気量の低下を禁止する、請求項１に記載のターボ過給機付きエンジンの制御装置。
【請求項３】
上記空気量制御手段は、エンジンの運転状態が上記コンプレッサにより過給を行う過給領域にある場合、上記コンプレッサを通過する吸気の流量が、現在のコンプレッサ圧力比においてサージングが生じる領域とサージングが生じない領域との境界に位置する最小コンプレッサ通過流量以上となるように、上記トルク低減量の増大に応じた吸入空気量の低下を制限する、請求項１に記載のターボ過給機付きエンジンの制御装置。
【請求項４】
上記ターボ過給機付きエンジンの制御装置は、上記コンプレッサによって過給された吸気の一部を、そのコンプレッサの上流側に還流するためのエアバイパス通路と、上記エアバイパス通路を流れる吸気の流量を調節するエアバイパスバルブと、を有する上記エンジンを制御し、
上記コンプレッサを通過する吸気の流量が、上記最小コンプレッサ通過流量未満である場合、上記エアバイパスバルブを開くエアバイパスバルブ制御手段を有し、
上記空気量制御手段は、エンジンの運転状態が上記コンプレッサにより過給を行う過給領域にある場合、上記コンプレッサを通過する吸気の流量が上記最小コンプレッサ通過流量以上となるように、上記トルク低減量の増大に応じた吸入空気量の低下を制限する、請求項３に記載のターボ過給機付きエンジンの制御装置。
【請求項５】
上記旋回状態検出手段は、車両のステアリング操作を検出し、
上記トルク低減量決定手段は、上記ステアリング操作に応じて上記トルク低減量を決定する、請求項１乃至４の何れか１項に記載のターボ過給機付きエンジンの制御装置。
【請求項６】
吸気通路に設けられたコンプレッサを備えたターボ過給機と、吸入空気量を制御する空気量制御手段と、点火装置による点火時期を制御する点火時期制御手段とを有するエンジンを、車両の運転状態に基づき制御するターボ過給機付きエンジンの制御装置であって、
車両の旋回状態を検出する旋回状態検出手段と、
アクセルペダルの操作を含む車両の運転状態に基づきエンジンを制御すると共に、上記旋回状態に基づき、エンジンのトルクを低減させ、その後にトルクを上昇させるようにエンジンを制御するエンジン制御手段と、を有し、
上記空気量制御手段は、エンジンの運転状態が上記コンプレッサにより過給を行う過給領域にある場合、上記旋回状態に基づきエンジンのトルクを低減させるときのトルク低減量の増大に応じた吸入空気量の低下を制限し、
上記点火時期制御手段は、上記トルク低減量の増大に応じた吸入空気量の低下が制限されている場合、吸入空気量の低下が制限されない場合よりも点火時期を遅角させることを特徴とするターボ過給機付きエンジンの制御装置。
【発明の詳細な説明】
【技術分野】
【０００１】
本発明は、ターボ過給機付きエンジンの制御装置に係わり、特に、吸気通路に設けられたコンプレッサを備えたターボ過給機を有するエンジンを、車両の運転状態に基づき制御するターボ過給機付きエンジンの制御装置に関する。
【背景技術】
【０００２】
従来、スリップ等により車両の挙動が不安定になった場合に安全方向に車両の挙動を制御するもの（横滑り防止装置等）が知られている。具体的には、車両のコーナリング時等に、車両にアンダーステアやオーバーステアの挙動が生じたことを検出し、それらを抑制するように車輪に適切な減速度を付与するようにしたものが知られている。
【０００３】
一方、上述したような車両の挙動が不安定になるような走行状態における安全性向上のための制御とは異なり、通常の走行状態にある車両のコーナリング時におけるドライバによる一連の操作（ブレーキング、ステアリングの切り込み、加速、及び、ステアリングの戻し等）が自然で安定したものとなるように、コーナリング時に減速度を調整して操舵輪である前輪に加わる荷重を調整するようにした車両運動制御装置が知られている（例えば、特許文献１参照）。
【０００４】
更に、ドライバのステアリング操作に対応するヨーレート関連量（例えばヨー加速度）に応じて車両の駆動力を低減させることにより、ドライバがステアリング操作を開始したときに減速度を迅速に車両に生じさせ、十分な荷重を操舵輪である前輪に迅速に加えるようにした車両用挙動制御装置が提案されている（例えば、特許文献２参照）。この車両用挙動制御装置によれば、ステアリング操作の開始時に荷重を前輪に迅速に加えることにより、前輪と路面との間の摩擦力が増加し、前輪のコーナリングフォースが増大するので、カーブ進入初期における車両の回頭性が向上し、ステアリングの切り込み操作に対する応答性が向上する。これにより、ドライバが意図したとおりの車両挙動を実現する。
【先行技術文献】
【特許文献】
【０００５】
【特許文献１】特開２０１１−８８５７６号公報
【特許文献２】特開２０１４−１６６０１４号公報
【発明の概要】
【発明が解決しようとする課題】
【０００６】
ところで、ガソリンエンジンやディーゼルエンジンのような内燃エンジンにおいて、エンジンの出力を向上させるべくターボ過給機を設け、車両の運転状態（例えばドライバによるアクセルペダル、ブレーキペダル、ステアリング等の各種操作や、車速、気温、気圧、道路勾配、路面μ等の走行環境等）に基づいて決定した目標トルクに応じて、ターボ過給機による過給圧を制御するものが知られている。
【０００７】
このようなターボ過給機を有するエンジンの制御装置において、上述した特許文献２に記載の車両用挙動制御装置により、ドライバのステアリング操作に応じて車両に減速度を生じさせるために目標トルクを瞬間的に変化させた場合、その目標トルクの変化を実現するようにターボ過給機の制御が行われることになる。即ち、エンジンの制御装置は、目標トルクの変化に応じて過給圧を変化させるようにターボ過給機を制御する。
しかしながら、車両に減速度を生じさせるために目標トルクが瞬間的に低下した場合、目標トルクの低下に応じて過給圧を低下させるようにターボ過給機の制御が行われるので、その後目標トルクが瞬間的に上昇したとき、目標トルクの上昇に対して過給圧の上昇が追い付かず、加速レスポンスが悪化してしまう。
【０００８】
また、ターボ過給機においては、コンプレッサの下流に設けられたスロットルバルブの開度を絞り吸入空気量を減少させた際にサージングと呼ばれるコンプレッサでの空気の逆流現象が生じ得ることが知られている。このサージングの発生を抑制するために、コンプレッサをバイパスするバイパス通路とバイパス通路を開閉するバイパスバルブとを設け、スロットルバルブの開度を絞る際にバイパスバルブを開くことで、バイパス通路を介してコンプレッサの上流側に過給圧を逃がすことが行われる。
上述した特許文献２に記載の車両用挙動制御装置により、ドライバのステアリング操作に応じて車両に減速度を生じさせるために目標トルクを瞬間的に低下させた場合においても、上述の如くバイパスバルブを開くことによってサージングが生じるのを回避できるが、バイパスバルブを開くと過給圧が低下するので、その後に加速要求があったときに加速レスポンスが悪化してしまう。
【０００９】
本発明は、上述した従来技術の問題点を解決するためになされたものであり、ターボ過給機を有するエンジンにおいて、加速レスポンスの悪化を抑制しつつ、ドライバの意図した車両挙動を正確に実現するようにエンジンを制御することができる、ターボ過給機付きエンジンの制御装置を提供することを目的とする。
【課題を解決するための手段】
【００１０】
上記の目的を達成するために、本発明のターボ過給機付きエンジンの制御装置は、吸気通路に設けられたコンプレッサを備えたターボ過給機と、目標トルクに応じて吸入空気量を制御する空気量制御手段と、点火装置による点火時期を制御する点火時期制御手段とを有するエンジンを、車両の運転状態に基づき制御するターボ過給機付きエンジンの制御装置であって、アクセルペダルの操作を含む車両の運転状態に基づき基本目標トルクを決定する基本目標トルク決定手段と、車両の旋回状態を検出する旋回状態検出手段と、旋回状態に基づき、エンジンのトルクを低減させ、その後にトルクを上昇させるように、トルク低減量を決定するトルク低減量決定手段と、基本目標トルクとトルク低減量とに基づき最終目標トルクを決定する最終目標トルク決定手段と、を有し、空気量制御手段は、最終目標トルクをエンジンに出力させるための目標空気量を決定し、その目標空気量を実現するように吸入空気量を制御し、点火時期制御手段は、吸入空気量に応じて、最終目標トルクをエンジンに出力させるように点火装置による点火時期を制御し、空気量制御手段は、エンジンの運転状態がコンプレッサにより過給を行う過給領域にある場合、トルク低減量の増大に応じた吸入空気量の低下を制限し、点火時期制御手段は、トルク低減量の増大に応じた吸入空気量の低下が制限されている場合、吸入空気量の低下が制限されない場合よりも点火時期を遅角させることを特徴とする。
このように構成された本発明においては、空気量制御手段は、エンジンの運転状態が過給領域にある場合、車両の旋回状態に基づき決定したトルク低減量の増大に応じた吸入空気量の低下を制限し、点火時期制御手段は、トルク低減量の増大に応じた吸入空気量の低下が制限されている場合、吸入空気量の低下が制限されない場合よりも点火時期を遅角させるので、トルク低減量の変化に応じてそのまま吸入空気量を低下させることによりコンプレッサの通過流量が減少してサージングが発生することを抑制でき、これにより、サージングを回避するためにエアバイパスバルブが開くことによる過給圧の低下を抑制することができ、加速レスポンスの悪化を抑制しつつ、ドライバの意図した車両挙動を正確に実現するようにエンジンを制御することができる。
【００１１】
また、本発明において、好ましくは、空気量制御手段は、エンジンの運転状態がコンプレッサにより過給を行う過給領域にある場合、トルク低減量の増大に応じた吸入空気量の低下を禁止する。
このように構成された本発明においては、空気量制御手段は、エンジンの運転状態が過給領域にある場合、トルク低減量の増大に応じた吸入空気量の低下を禁止するので、トルク低減量の変化に応じて吸入空気量を低下させることによりコンプレッサの通過流量が減少してサージングが発生することを確実に防止でき、これにより、サージングを回避するためにエアバイパスバルブが開くことによる過給圧の低下を防止して加速レスポンスの悪化を確実に抑制しつつ、ドライバの意図した車両挙動を正確に実現するようにエンジンを制御することができる。
【００１２】
また、本発明において、好ましくは、空気量制御手段は、エンジンの運転状態がコンプレッサにより過給を行う過給領域にある場合、コンプレッサを通過する吸気の流量が、現在のコンプレッサ圧力比においてサージングが生じる領域とサージングが生じない領域との境界に位置する最小コンプレッサ通過流量以上となるように、トルク低減量の増大に応じた吸入空気量の低下を制限する。
このように構成された本発明においては、エンジンの運転状態が過給領域にある場合、空気量制御手段がトルク低減量の増大に応じた吸入空気量の低下を制限することにより、コンプレッサを通過する吸気の流量が、最小コンプレッサ通過流量以上に維持されるので、トルク低減量の変化に応じて吸入空気量を減少させることによりコンプレッサの通過流量が所定流量未満まで減少してサージングが発生することを抑制でき、これにより、サージングを回避するためにエアバイパスバルブが開くことによる過給圧の低下を抑制して加速レスポンスの悪化を防ぐことができる。
【００１３】
また、本発明において、好ましくは、ターボ過給機付きエンジンの制御装置は、コンプレッサによって過給された吸気の一部を、そのコンプレッサの上流側に還流するためのエアバイパス通路と、エアバイパス通路を流れる吸気の流量を調節するエアバイパスバルブと、を有するエンジンを制御し、コンプレッサを通過する吸気の流量が、最小コンプレッサ通過流量未満である場合、エアバイパスバルブを開くエアバイパスバルブ制御手段を有し、空気量制御手段は、エンジンの運転状態がコンプレッサにより過給を行う過給領域にある場合、コンプレッサを通過する吸気の流量が最小コンプレッサ通過流量以上となるように、トルク低減量の増大に応じた吸入空気量の低下を制限する。
このように構成された本発明においては、エンジンの運転状態が過給領域にある場合、空気量制御手段がトルク低減量の増大に応じた吸入空気量の低下を制限することにより、コンプレッサを通過する吸気の流量が最小コンプレッサ通過流量以上に維持されるので、トルク低減量の変化に応じて吸入空気量を減少させることによりコンプレッサの通過流量が最小コンプレッサ通過流量未満まで減少してサージングが発生することを確実に防止でき、これにより、サージングを回避するためにエアバイパスバルブが開くことによる過給圧の低下を確実に防止して加速レスポンスの悪化を防ぐことができる。
【００１４】
また、本発明において、好ましくは、旋回状態検出手段は、車両のステアリング操作を検出し、トルク低減量決定手段は、ステアリング操作に応じてトルク低減量を決定する。
このように構成された本発明においては、ステアリング操作に基づき決定されたトルク低減量の時間変化を最終目標トルクの時間変化に反映することができ、これにより、ドライバのステアリング操作に応じた減速度を車両に迅速に付加して荷重を前輪に加え、コーナリングフォースを迅速に増大させることによりステアリング操作に対する応答性を向上させることができ、ドライバの意図した車両挙動を正確に実現するようにエンジンを制御することができる。
【発明の効果】
【００１５】
本発明によるターボ過給機付きエンジンの制御装置によれば、ターボ過給機を有するエンジンにおいて、加速レスポンスの悪化を抑制しつつ、ドライバの意図した車両挙動を正確に実現するようにエンジンを制御することができる。
【図面の簡単な説明】
【００１６】
【図１】本発明の実施形態によるターボ過給機付きエンジンの制御装置が適用されたエンジンシステムの概略構成図である。
【図２】本発明の実施形態によるターボ過給機付きエンジンの制御装置の電気的構成を示すブロック図である。
【図３】本発明の実施形態によるターボ過給機のコンプレッサ性能マップである。
【図４】本発明の実施形態によるエアバイパスバルブの開閉制御処理のフローチャートである。
【図５】本発明の第１実施形態によるターボ過給機付きエンジンの制御装置がエンジンを制御するエンジン制御処理のフローチャートである。
【図６】本発明の実施形態によるターボ過給機付きエンジンの制御装置がトルク低減量を決定するトルク低減量決定処理のフローチャートである。
【図７】本発明の実施形態によるターボ過給機付きエンジンの制御装置が決定する目標付加減速度と操舵速度との関係を示したマップである。
【図８】本発明の実施形態によるエンジン制御部が最低空気量を算出する方法を示した制御ブロック図である。
【図９】本発明の実施形態によるターボ過給機付きエンジンの制御装置を搭載した車両が旋回を行う場合における、ターボ過給機付きエンジンの制御装置によるエンジン制御に関するパラメータの時間変化を示す線図であり、図９（ａ）は右旋回を行う車両を概略的に示す平面図、図９（ｂ）は図９（ａ）に示したように右旋回を行う車両の操舵角の変化を示す線図、図９（ｃ）は図９（ｂ）に示したように右旋回を行う車両の操舵速度の変化を示す線図、図９（ｄ）は、図９（ｃ）に示した操舵速度に基づき決定された付加減速度の変化を示す線図、図９（ｅ）は図９（ｄ）に示した付加減速度に基づいて決定されたトルク低減量の変化を示す線図、図９（ｆ）は基本目標トルクの変化を示す線図、図９（ｇ）は基本目標トルクとトルク低減量とに基づき決定された最終目標トルクの変化を示す線図、図９（ｈ）は最終目標トルクに基づき決定された目標空気量と実際の空気量との変化を示す線図、図９（ｉ）は最終目標トルクと実際の空気量とに基づき決定された目標点火時期を、基本点火時期を基準として表した線図、図９（ｊ）は（ｈ）及び（ｉ）に示したように吸入空気量と点火時期の制御を行った場合に車両に発生するヨーレート（実ヨーレート）の変化と、トルク低減量決定部が決定したトルク低減量に基づく制御を行わなかった場合の実ヨーレートの変化とを示す線図である。
【図１０】本発明の第２実施形態によるターボ過給機付きエンジンの制御装置がエンジンを制御するエンジン制御処理のフローチャートである。
【発明を実施するための形態】
【００１７】
以下、添付図面を参照して、本発明の実施形態によるターボ過給機付きエンジンの制御装置を説明する。
【００１８】
まず、図１及び図２により、本発明の実施形態によるターボ過給機付きエンジンの制御装置が適用されたエンジンシステムについて説明する。図１は、本発明の実施形態によるターボ過給機付きエンジンの制御装置が適用されたエンジンシステムの概略構成図であり、図２は、本発明の実施形態によるターボ過給機付きエンジンの制御装置の電気的構成を示すブロック図である。
【００１９】
図１及び図２に示すように、エンジンシステム１００は、主に、外部から導入された吸気（空気）が通過する吸気通路１と、この吸気通路１から供給された吸気と、後述する燃料噴射弁１３から供給された燃料との混合気を燃焼させて車両の動力を発生するエンジン１０（具体的にはガソリンエンジン）と、このエンジン１０内の燃焼により発生した排気ガスを排出する排気通路２５と、エンジンシステム１００に関する各種の状態を検出するセンサ３０〜３９と、エンジンシステム１００全体を制御するＰＣＭ６０（ターボ過給機付きエンジンの制御装置）とを有する。
【００２０】
吸気通路１には、上流側から順に、外部から導入された吸気を浄化するエアクリーナ３と、通過する吸気を昇圧させる、ターボ過給機４のコンプレッサ４ａと、外気や冷却水により吸気を冷却するインタークーラ５と、通過する吸気の量（吸入空気量）を調整するスロットルバルブ６と、エンジン１０に供給する吸気を一時的に蓄えるサージタンク７と、が設けられている。
【００２１】
また、吸気通路１には、コンプレッサ４ａによって過給された吸気の一部を、コンプレッサ４ａの上流側に還流するためのエアバイパス通路８が設けられている。具体的には、エアバイパス通路８の一端は、コンプレッサ４ａの下流側で且つスロットルバルブ６の上流側の吸気通路１に接続され、エアバイパス通路８の他端は、エアクリーナ３の下流側で且つコンプレッサ４ａの上流側の吸気通路１に接続されている。
【００２２】
このエアバイパス通路８には、エアバイパス通路８を流れる吸気の流量を開閉動作により調節するエアバイパスバルブ９が設けられている。エアバイパスバルブ９は、エアバイパス通路８を完全に閉じる閉状態と完全に開く開状態とに切り換え可能な、いわゆるオンオフバルブである。
【００２３】
エンジン１０は、主に、吸気通路１から供給された吸気を燃焼室１１内に導入する吸気バルブ１２と、燃焼室１１に向けて燃料を噴射する燃料噴射弁１３と、燃焼室１１内に供給された吸気と燃料との混合気に点火する点火プラグ１４と、燃焼室１１内での混合気の燃焼により往復運動するピストン１５と、ピストン１５の往復運動により回転されるクランクシャフト１６と、燃焼室１１内での混合気の燃焼により発生した排気ガスを排気通路２５へ排出する排気バルブ１７と、を有する。
【００２４】
また、エンジン１０は、吸気バルブ１２及び排気バルブ１７のそれぞれの動作タイミング（バルブの位相に相当する）を、可変バルブタイミング機構（Variable Valve Timing Mechanism）としての可変吸気バルブ機構１８及び可変排気バルブ機構１９によって可変に構成されている。可変吸気バルブ機構１８及び可変排気バルブ機構１９としては、公知の種々の形式を適用可能であるが、例えば電磁式又は油圧式に構成された機構を用いて、吸気バルブ１２及び排気バルブ１７の動作タイミングを変化させることができる。
【００２５】
排気通路２５には、上流側から順に、通過する排気ガスによって回転され、この回転によってコンプレッサ４ａを駆動する、ターボ過給機４のタービン４ｂと、例えばＮＯｘ触媒や三元触媒や酸化触媒などの、排気ガスの浄化機能を有する排気浄化触媒２６ａ、２６ｂが設けられている。以下では、排気浄化触媒２６ａ、２６ｂを区別しないで用いる場合には、単に「排気浄化触媒２６」と表記する。
【００２６】
また、排気通路２５には、排気の一部を吸気通路１に還流する排気再循環（Exhaust Gas Recirculation、以下「ＥＧＲ」と称する）通路２７が接続されている。ＥＧＲ通路２７は、一端がタービン４ｂの上流側の排気通路２５に接続され、他端がスロットルバルブ１１の下流側の吸気通路１に接続されている。さらに、ＥＧＲ通路２７には、還流させる排気を冷却するＥＧＲクーラ２８と、ＥＧＲ通路２７を流れる排気の流量を制御するＥＧＲバルブ２９とが設けられている。
【００２７】
さらに、排気通路２５には、排気にターボ過給機４のタービン４ｂを迂回させるタービンバイパス通路３０が設けられている。このタービンバイパス通路３０には、タービンバイパス通路３０を流れる排気の流量を制御するウェイストゲートバルブ（以下「ＷＧバルブ」と称する）３１が設けられている。
【００２８】
また、エンジンシステム１００には、当該エンジンシステム１００に関する各種の状態を検出するセンサ４０〜５４が設けられている。これらセンサ４０〜５４は、具体的には以下の通りである。アクセル開度センサ４０は、アクセルペダルの開度（ドライバがアクセルペダルを踏み込んだ量に相当する）であるアクセル開度を検出する。エアフローセンサ４１は、エアクリーナ３とコンプレッサ４ａとの間の吸気通路１を通過する吸気の流量に相当する吸入空気量を検出する。第１温度センサ４２は、エアクリーナ３とコンプレッサ４ａとの間の吸気通路１を通過する吸気の温度を検出する。第１圧力センサ４３は、過給圧を検出する。スロットル開度センサ４４は、スロットルバルブ６の開度であるスロットル開度を検出する。第２圧力センサ４５は、エンジン１０に供給される吸気の圧力に相当するインマニ圧（サージタンク７内の圧力）を検出する。クランク角センサ４６は、クランクシャフト１６におけるクランク角を検出する。吸気側カム角センサ４７は、吸気カムシャフトのカム角を検出する。排気側カム角センサ４８は、排気カムシャフトのカム角を検出する。ＥＧＲ開度センサ４９は、ＥＧＲバルブ２９の開度を検出する。ＷＧ開度センサ５０は、ＷＧバルブ３１の開度を検出する。Ｏ2センサ５１は、排気中の酸素濃度を検出する。排気温度センサ５２は、排気温度を検出する。車速センサ５３は、車両の速度（車速）を検出する。操舵角センサ５４は、ステアリングホイールの回転角度を検出する。これらの各種センサ４０〜５４は、それぞれ、検出したパラメータに対応する検出信号Ｓ１４０〜Ｓ１５４をＰＣＭ６０に出力する。
【００２９】
ＰＣＭ６０は、上述した各種センサ４０〜５４から入力された検出信号Ｓ１４０〜Ｓ１５４に基づいて、エンジンシステム１００内の構成要素に対する制御を行う。具体的には、図２に示すように、ＰＣＭ６０は、スロットルバルブ６に制御信号Ｓ１０６を供給して、スロットルバルブ６の開閉時期やスロットル開度を制御し、エアバイパスバルブ９に制御信号Ｓ１０９を供給して、エアバイパスバルブ９の開閉を制御し、ＷＧバルブ３１に制御信号Ｓ１３１を供給して、ＷＧバルブ３１の開度を制御し、燃料噴射弁１３に制御信号Ｓ１１３を供給して、燃料噴射量や燃料噴射タイミングを制御し、点火プラグ１４に制御信号Ｓ１１４を供給して、点火時期を制御し、可変吸気バルブ機構１８及び可変排気バルブ機構１９のそれぞれに制御信号Ｓ１１８、Ｓ１１９を供給して、吸気バルブ１２及び排気バルブ１７の動作タイミングを制御する。
【００３０】
また、ＰＣＭ６０は、アクセルペダルの操作を含む車両の運転状態に基づき基本目標トルクを決定する基本目標トルク決定部６１と、アクセルペダルの操作を含まない車両の運転状態に基づきトルク低減量を決定するトルク低減量決定部６３と、基本目標トルクとトルク低減量とに基づき最終目標トルクを決定する最終目標トルク決定部６５と、最終目標トルクを出力させるようにエンジン１０を制御するエンジン制御部６７と、を有する。
これらのＰＣＭ６０の各構成要素は、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを記憶するためのＲＯＭやＲＡＭの如き内部メモリを備えるコンピュータにより構成される。
【００３１】
次に、図３及び図４により、バイパスバルブ９の開閉制御を説明する。図３は、本発明の実施形態によるターボ過給機のコンプレッサ性能マップであり、図４は、本発明の実施形態によるエアバイパスバルブの開閉制御処理のフローチャートである。
【００３２】
ターボ過給機４は、図３にコンプレッサ性能マップとして示したような性能を有する。コンプレッサ性能マップは、コンプレッサ４ａを通過する吸気の流量であるコンプレッサ通過流量と、コンプレッサ４ａの上流側及び下流側の吸気圧力の比であるコンプレッサ圧力比（過給圧／大気圧）と、コンプレッサ４ａの回転数であるコンプレッサ回転数との関係を規定している。このようなコンプレッサ性能マップは、ＰＣＭ６０の内部メモリに記憶されている。
【００３３】
コンプレッサ性能マップには、図３に示す破線（以下「サージライン」と称する）Ｌよりもコンプレッサ通過流量が少ない領域に、いわゆるサージ領域が規定されている。サージ領域は、コンプレッサ通過流量とコンプレッサ圧力比との関係で規定され、コンプレッサ圧力比が大きいほどコンプレッサ通過流量が多い側に拡大されている。このサージ領域は、コンプレッサ通過流量に対して、コンプレッサ圧力比が高すぎるため、コンプレッサ４ａで過給された吸気がコンプレッサ４ａに逆流し得る、つまりサージングが発生し得る運転領域である。
【００３４】
コンプレッサ４ａの運転状態がサージ領域に入る傾向にあるのは、例えば自動変速機による変速動作時である。すなわち、自動変速機制御ユニット（ＡＴＣＵ）からのトルクダウン要求に応じてエンジン１０のトルクを低下させるべくスロットルバルブ６の開度を調節する場合には、スロットルバルブ６の開度が絞られる一方で、コンプレッサ４ａは慣性でしばらく回り続けるため吸気の過給がしばらく続く。その結果、コンプレッサ圧力比が高いままエンジン１０への吸入空気量、つまりコンプレッサ通過流量が制限される状況となって、サージングが生じ得る。
【００３５】
エンジン制御部６７は、上記のコンプレッサ性能マップに基づいてコンプレッサ４ａにサージングが生じるか否かを判定し、その判定結果に応じてエアバイパスバルブ９を開閉制御する。
【００３６】
具体的には、エンジン制御部６７は、図４に示すエアバイパスバルブの開閉制御処理を実行する。このエアバイパスバルブの開閉制御処理は、エンジン１０の運転期間中、繰り返し実行される。
【００３７】
図４に示すように、まず、ステップＳ１において、エンジン制御部６７は、エアフローセンサ４１により検出される吸気流量に基づいて、コンプレッサ通過流量を推定する。
続いて、ステップＳ２において、エンジン制御部６７は、大気圧センサにより検出される大気圧と、第１圧力センサ４３により検出される過給圧とに基づき、コンプレッサ圧力比を算出する。
【００３８】
そして、ステップＳ３において、エンジン制御部６７は、図３に示すコンプレッサ性能マップを参照し、コンプレッサ通過流量とコンプレッサ圧力比とから、現在のコンプレッサ４ａの運転状態がサージ領域に入るのかどうか、つまりサージングが生じるかどうかを判定する。具体的には、コンプレッサ性能マップにおいて、推定したコンプレッサ通過流量が、算出したコンプレッサ圧力比と同じコンプレッサ圧力比におけるサージラインＬ上に位置する運転状態にあるときの所定のコンプレッサ通過流量以下であるかどうかを判定する。
【００３９】
その結果、サージングが生じると判定される場合には、ステップＳ４に進み、エンジン制御部６７は、エアバイパスバルブ９を開状態とし、コンプレッサ４ａの上流側に過給圧を逃がすことによりサージングの発生を回避する。
一方、サージングが生じないと判定される場合には、ステップＳ５に進み、エンジン制御部６７は、エアバイパスバルブ９を閉状態とし、過給圧を維持する。このようなエアバイパスバルブ９の開閉制御は、エンジン１０の運転期間中は、連続的に繰り返し実行される。
ステップＳ４又はＳ５の後、エンジン制御部６７はエアバイパスバルブの開閉制御処理を終了する。
【００４０】
次に、図５乃至図８により、ターボ過給機付きエンジンの制御装置が行うエンジン制御処理について説明する。
図５は、本発明の実施形態によるターボ過給機付きエンジンの制御装置がエンジン１０を制御するエンジン制御処理のフローチャートであり、図６は、本発明の実施形態によるターボ過給機付きエンジンの制御装置がトルク低減量を決定するトルク低減量決定処理のフローチャートであり、図７は、本発明の実施形態によるターボ過給機付きエンジンの制御装置が決定する目標付加減速度と操舵速度との関係を示したマップであり、図８は、本発明の実施形態によるエンジン制御部６７が最低空気量を算出する方法を示した制御ブロック図である。
【００４１】
図５のエンジン制御処理は、車両のイグニッションがオンにされ、ターボ過給機付きエンジンの制御装置に電源が投入された場合に起動され、繰り返し実行される。
エンジン制御処理が開始されると、図５に示すように、ステップＳ１１において、ＰＣＭ６０は車両の運転状態を取得する。具体的には、ＰＣＭ６０は、アクセル開度センサ４０が検出したアクセル開度、車速センサ５３が検出した車速、操舵角センサ５４が検出した操舵角、車両の変速機に現在設定されているギヤ段等を含む、上述した各種センサ４０〜５４が出力した検出信号Ｓ１４０〜Ｓ１５４を運転状態として取得する。
【００４２】
次に、ステップＳ１２において、ＰＣＭ６０の基本目標トルク決定部６１は、ステップＳ１１において取得されたアクセルペダルの操作を含む車両の運転状態に基づき、目標加速度を設定する。具体的には、基本目標トルク決定部６１は、種々の車速及び種々のギヤ段について規定された加速度特性マップ（予め作成されてメモリなどに記憶されている）の中から、現在の車速及びギヤ段に対応する加速度特性マップを選択し、選択した加速度特性マップを参照して現在のアクセル開度に対応する目標加速度を決定する。
【００４３】
次に、ステップＳ１３において、基本目標トルク決定部６１は、ステップＳ１２において決定した目標加速度を実現するためのエンジン１０の基本目標トルクを決定する。この場合、基本目標トルク決定部６１は、現在の車速、ギヤ段、路面勾配、路面μなどに基づき、エンジン１０が出力可能なトルクの範囲内で、基本目標トルクを決定する。
【００４４】
また、ステップＳ１２〜Ｓ１３の処理と並行して、ステップＳ１４において、トルク低減量決定部６３は、アクセルペダルの操作以外の車両の運転状態に基づきトルク低減量を決定するためのトルク低減量決定処理を実行する。このトルク低減量決定処理について、図６を参照して説明する。
【００４５】
図６に示すように、トルク低減量決定処理が開始されると、ステップＳ３１において、トルク低減量決定部６３は、ステップＳ１１において取得した操舵角の絶対値が増大中か否かを判定する。その結果、操舵角の絶対値が増大中である場合、ステップＳ３２に進み、トルク低減量決定部６３は、ステップＳ１１において取得した操舵角に基づき操舵速度を算出する。
【００４６】
次に、ステップＳ３３において、トルク低減量決定部６３は、操舵速度の絶対値が減少しているか否かを判定する。
その結果、操舵速度の絶対値が減少していない場合、即ち操舵速度の絶対値が増大している又は操舵速度の絶対値が変化していない場合、ステップＳ３４に進み、トルク低減量決定部６３は、操舵速度に基づき目標付加減速度を取得する。この目標付加減速度は、ドライバの意図した車両挙動を正確に実現するために、ステアリング操作に応じて車両に付加すべき減速度である。
【００４７】
具体的には、トルク低減量決定部６３は、図７のマップに示した目標付加減速度と操舵速度との関係に基づき、ステップＳ３２において算出した操舵速度に対応する目標付加減速度を取得する。
図７における横軸は操舵速度を示し、縦軸は目標付加減速度を示す。図７に示すように、操舵速度が閾値ＴS（例えば１０ｄｅｇ／ｓ）未満の場合、対応する目標付加減速度は０である。即ち、操舵速度が閾値ＴS未満の場合には、ステアリング操作に応じて車両に減速度を付加する制御が行われない。
一方、操舵速度が閾値ＴS以上の場合には、操舵速度が増大するに従って、この操舵速度に対応する目標付加減速度は、所定の上限値Ｄmax（例えば１ｍ／ｓ2）に漸近する。即ち、操舵速度が増大するほど目標付加減速度は増大し、且つ、その増大量の増加割合は小さくなる。
【００４８】
次に、ステップＳ３５において、トルク低減量決定部６３は、付加減速度の増大率が閾値Ｒｍａｘ（例えば０．５ｍ／ｓ3）以下となる範囲で今回の処理における付加減速度を決定する。
具体的には、トルク低減量決定部６３は、前回の処理において決定した付加減速度から今回の処理のステップＳ３４において決定した目標付加減速度への増大率がＲｍａｘ以下である場合、ステップＳ３４において決定した目標付加減速度を今回の処理における付加減速度として決定する。
一方、前回の処理において決定した付加減速度から今回の処理のステップＳ３４において決定した目標付加減速度への変化率がＲｍａｘより大きい場合、トルク低減量決定部６３は、前回の処理において決定した付加減速度から今回の処理時まで増大率Ｒｍａｘにより増大させた値を今回の処理における付加減速度として決定する。
【００４９】
また、ステップＳ３３において、操舵速度の絶対値が減少している場合、ステップＳ３６に進み、トルク低減量決定部６３は、前回の処理において決定した付加減速度を今回の処理における付加減速度として決定する。即ち、操舵速度の絶対値が減少している場合、操舵速度の最大時における付加減速度（即ち付加減速度の最大値）が保持される。
【００５０】
また、ステップＳ３１において、操舵角の絶対値が増大中ではない（一定又は減少中である）場合、ステップＳ３７に進み、トルク低減量決定部６３は、前回の処理において決定した付加減速度を今回の処理において減少させる量（減速度減少量）を取得する。この減速度減少量は、例えば、予めメモリ等に記憶されている一定の減少率（例えば０．３ｍ／ｓ3）に基づき算出される。あるいは、ステップＳ１１において取得された車両の運転状態やステップＳ３２において算出した操舵速度に応じて決定された減少率に基づき算出される。
【００５１】
そして、ステップＳ３８において、トルク低減量決定部６３は、前回の処理において決定した付加減速度からステップＳ３７において取得した減速度減少量を減算することにより、今回の処理における付加減速度を決定する。
【００５２】
ステップＳ３５、Ｓ３６、又はＳ３８の後、ステップＳ３９において、トルク低減量決定部６３は、ステップＳ３５、Ｓ３６、又はＳ３８において決定した今回の付加減速度に基づき、トルク低減量を決定する。具体的には、トルク低減量決定部６３は、今回の付加減速度を実現するために必要となるトルク低減量を、ステップＳ１１において取得された現在の車速、ギヤ段、路面勾配等に基づき決定する。このステップＳ３９の後、トルク低減量決定部６３はトルク低減量決定処理を終了し、メインルーチンに戻る。
【００５３】
図５に戻り、ステップＳ１２〜Ｓ１３の処理及びステップＳ１４のトルク低減量決定処理を行った後、ステップＳ１５において、最終目標トルク決定部６５は、ステップＳ１３において決定した基本目標トルクから、ステップＳ１４のトルク低減量決定処理において決定したトルク低減量を減算することにより、最終目標トルクを決定する。
【００５４】
次に、ステップＳ１６において、エンジン制御部６７は、ステップＳ１５において決定した最終目標トルクをエンジン１０により出力させるための目標空気量及び目標当量比を決定する。ここで、「空気量」とは、エンジン１０の燃焼室１１内に導入される空気の量である。なお、この空気量を無次元化した充填効率を用いてもよい。
具体的には、エンジン制御部６７は、最終目標トルクにフリクションロスやポンピングロスによる損失トルクを加味した目標図示トルクを算出し、この目標図示トルクを発生させるために必要な目標発生熱量を算出し、この目標発生熱量と目標当量比とに基づき、目標空気量を決定する。
【００５５】
次に、ステップＳ１７において、エンジン制御部６７は、アクセルペダルの操作以外の車両の運転状態に基づくトルク低減の要求の有無を判定する。具体的には、エンジン制御部６７は、ステップＳ１４のトルク低減量決定処理において決定されたトルク低減量が０より大きい場合、トルク低減の要求があると判定する。
【００５６】
その結果、トルク低減の要求がある場合、ステップＳ１８に進み、エンジン制御部６７は、ステップＳ１６において決定した目標空気量が最低空気量より小さいか否かを判定する。ここで、「最低空気量」は、エアバイパスバルブ９を閉状態に維持可能な空気量の最低値である。
【００５７】
ここで、図８を参照して、エンジン制御部６７による最低空気量の算出方法を説明する。エンジン制御部６７は、コンプレッサ４ａにサージングを生じさせない（つまりエアバイパスバルブ９を開かない）ために必要なコンプレッサ通過流量の最小値（以下「最小コンプレッサ通過流量」と称する）を、コンプレッサ４ａの運転状態に基づき推定する非開弁流量推定部６７ａと、この非開弁流量推定部６７ａにより推定された最小コンプレッサ通過流量をエンジン１０の燃焼室１１内に導入される空気量、即ち最低空気量に変換する空気量変換部６７ｂとを備える。
【００５８】
非開弁流量推定部６７ａは、吸気通路１におけるコンプレッサ４ａ上流側の吸気圧力と、コンプレッサ４ａ下流側の吸気圧力とを入力とする。コンプレッサ４ａ上流側の吸気圧力は、大気圧センサにより検出される大気圧である。コンプレッサ４ａ下流側の吸気圧力は、第１圧力センサ４３により検出される過給圧である。
【００５９】
非開弁流量推定部６７ａは、大気圧センサにより検出される大気圧と、第１圧力センサ４３により検出される過給圧とに基づき、現在のコンプレッサ圧力比を算出する。そして、非開弁流量推定部６７ａは、図３に示したコンプレッサ性能マップを参照し、サージラインＬ上において現在のコンプレッサ圧力比に対応するコンプレッサ通過流量を最小コンプレッサ通過流量として推定する。
【００６０】
空気量変換部６７ｂは、非開弁流量推定部６７ａにより推定された最小コンプレッサ通過流量を、エンジン回転数に基づき、エンジン１０の燃焼室１１内に導入される空気量、即ち最低空気量に変換する。この最低空気量は、コンプレッサ４ａの運転状態に応じて変化するものであり、エンジン１０の運転期間中、エンジン制御部６７により繰り返し算出される。
【００６１】
図５に戻り、ステップＳ１８において、目標空気量が最低空気量より小さい場合、ステップＳ１９に進み、エンジン制御部６７は、最低空気量を目標空気量として設定する。
【００６２】
ステップＳ１７においてトルク低減の要求がない場合、ステップＳ１８において目標空気量が最低空気量より小さくない（目標空気量が最低空気量以上である）場合、又は、ステップＳ１９の後、ステップＳ２０に進み、エンジン制御部６７は、ステップＳ１６において決定した目標空気量又はステップＳ１９において設定した目標空気量の空気がエンジン１０に導入されるように、エアフローセンサ３１が検出した空気量を考慮して、スロットルバルブ６の開度と、可変吸気バルブ機構１８を介した吸気バルブ１２の開閉時期とを決定する。
【００６３】
次に、ステップＳ２１において、エンジン制御部６７は、ステップＳ２０において設定したスロットル開度及び吸気バルブ１２の開閉時期に基づき、スロットルバルブ６及び可変吸気バルブ機構１８を制御するとともに、ステップＳ１６において決定した目標当量比と、エアフローセンサ４１の検出信号Ｓ１４１等に基づき推定した実空気量とに基づき燃料噴射弁１３を制御する。
上記のように、ステップＳ１８において目標空気量が最低空気量より小さい場合、最低空気量が目標空気量として設定され、その目標空気量の空気がエンジン１０に導入されるようにスロットルバルブ６の開度と、可変吸気バルブ機構１８を介した吸気バルブ１２の開閉時期が決定される。即ち、エンジン１０の運転状態がコンプレッサ４ａにより過給を行う過給領域にあり、エアバイパスバルブ９を閉状態に維持するために最低空気量以上の空気量が必要な場合には、スロットルバルブ６及び可変吸気バルブ機構１８の制御は、エンジン１０に導入される空気が最低空気量を下回ることがないように制限されるのである。
【００６４】
次に、ステップＳ２２において、エンジン制御部６７は、ステップＳ１５において決定した最終目標トルクと、ステップＳ２１におけるスロットルバルブ６及び可変吸気バルブ機構１８の制御により実際に燃焼室１１に導入された実空気量とに基づき、最終目標トルクをエンジン１０により出力させるために必要な点火時期の目標値（以下「目標点火時期」と称する）を設定する。
具体的には、エンジン制御部６７は、エアフローセンサ３１の検出信号Ｓ１３１等に基づき、実空気量を推定する。そして、種々の空気量及び種々のエンジン回転数について点火時期と図示トルクとの関係を規定した点火進角マップ（予め作成されてメモリなどに記憶されている）の中から、推定した実空気量及びエンジン回転数に対応する点火進角マップを選択し、選択した点火進角マップを参照して、ステップＳ１６において算出した目標図示トルクに対応する点火時期を目標点火時期として決定する。
点火進角マップは、横軸を点火時期、縦軸を図示トルクとした場合、点火時期がＭＢＴ（Minimum Advance for Best Torque）であるときの図示トルクを極大値として、点火時期が進角又は遅角するほど図示トルクが減少するような上に凸の曲線で表される。
例えば、トルク低減要求に対応した目標空気量の減少に対して、実空気量の応答が遅れ、実空気量が目標空気量に対して過剰になっている場合、実空気量に対応する点火進角マップのＭＢＴにおける図示トルクは、目標空気量に対応する点火進角マップのＭＢＴにおける図示トルクよりも大きい。言い換えると、実空気量に対応する点火進角マップの目標図示トルクに対応する点火時期は、目標空気量に対応する点火進角マップの目標図示トルクに対応する点火時期に対して遅角している。即ち、目標点火時期は、目標空気量に対して実空気量が過剰になるほど遅角側にシフトする。
但し、目標点火時期が所定の遅角限界よりも遅角側にある場合には、遅角限界を目標点火時期として決定する。この遅角限界は、燃焼効率の著しい悪化や失火を考慮した燃焼安定性の観点から予め実験により定められた遅角量の限界値である。
【００６５】
次に、ステップＳ２３において、エンジン制御部６７は、ステップＳ２２において決定した目標点火時期に点火が行われるように、点火プラグ１４を制御する。
【００６６】
また、ステップＳ１５〜Ｓ２３の処理と並行して、ステップＳ２４において、エンジン制御部６７は、ターボ過給機４による目標過給圧を取得する。例えば、目標トルクと目標過給圧との関係を示すマップが予めメモリ等に記憶されており、エンジン制御部６７は、そのマップを参照し、ステップＳ１３において決定した基本目標トルクに対応する目標過給圧を取得する。
【００６７】
次に、ステップＳ２５において、エンジン制御部６７は、ステップＳ２４において取得した目標過給圧を実現するための、ＷＧバルブ３１の開度を決定する。
【００６８】
次に、ステップＳ２６において、エンジン制御部６９は、ステップＳ２５において設定した開度に基づき、ＷＧバルブ３１のアクチュエータを制御する。
この場合、エンジン制御部６７は、ステップＳ２５において設定した開度に応じてＷＧバルブ３１のアクチュエータを制御すると共に、第１圧力センサ４３により検出される過給圧を、ステップＳ２６において取得した目標過給圧に近づけるようにアクチュエータをフィードバック制御する。
ステップＳ２３及びＳ２６の後、ＰＣＭ６０は、エンジン制御処理を終了する。
【００６９】
次に、図９により、本発明の実施形態によるターボ過給機付きエンジンの制御装置の作用を説明する。図９は、本発明の実施形態によるターボ過給機付きエンジンの制御装置を搭載した車両が旋回を行う場合における、ターボ過給機付きエンジンの制御装置によるエンジン制御に関するパラメータの時間変化を示す線図である。
【００７０】
図９（ａ）は、右旋回を行う車両を概略的に示す平面図である。この図９（ａ）に示すように、車両は、位置Ａから右旋回を開始し、位置Ｂから位置Ｃまで操舵角一定で右旋回を継続する。
【００７１】
図９（ｂ）は、図９（ａ）に示したように右旋回を行う車両の操舵角の変化を示す線図である。図９（ｂ）における横軸は時間を示し、縦軸は操舵角を示す。
この図９（ｂ）に示すように、位置Ａにおいて右向きの操舵が開始され、ステアリングの切り足し操作が行われることにより右向きの操舵角が徐々に増大し、位置Ｂにおいて右向きの操舵角が最大となる。その後、位置Ｃまで操舵角が一定に保たれる（操舵保持）。
【００７２】
図９（ｃ）は、図９（ｂ）に示したように右旋回を行う車両の操舵速度の変化を示す線図である。図９（ｂ）における横軸は時間を示し、縦軸は操舵速度を示す。
車両の操舵速度は、車両の操舵角の時間微分により表される。即ち、図９（ｃ）に示すように、位置Ａにおいて右向きの操舵が開始された場合、右向きの操舵速度が生じ、位置Ａと位置Ｂとの間において操舵速度がほぼ一定に保たれる。その後、右向きの操舵速度は減少し、位置Ｂにおいて右向きの操舵角が最大になると、操舵速度は０になる。更に、位置Ｂから位置Ｃまで右向きの操舵角が保持される間、操舵速度は０のままである。
【００７３】
図９（ｄ）は、図９（ｃ）に示した操舵速度に基づき決定された付加減速度の変化を示す線図である。図９（ｄ）における横軸は時間を示し、縦軸は付加減速度を示す。また、図９（ｄ）における実線は、図６のトルク低減量決定処理において決定された付加減速度の変化を示し、一点鎖線は、操舵速度に基づく目標付加減速度の変化を示す。この一点鎖線により示す目標付加減速度は、図９（ｃ）に示した操舵速度の変化と同様に、位置Ａから増大し始め、位置Ａと位置Ｂとの間においてほぼ一定に保たれ、その後減少して位置Ｂにおいて０になる。
【００７４】
図６を参照して説明したように、トルク低減量決定部６３は、ステップＳ３３において操舵速度の絶対値が減少していない場合、即ち操舵速度の絶対値が増大している又は操舵速度の絶対値が変化していない場合、ステップＳ３４において操舵速度に基づき目標付加減速度を取得する。続いて、ステップＳ３５において、トルク低減量決定部６３は、付加減速度の増大率が閾値Ｒｍａｘ以下となる範囲で各処理サイクルにおける付加減速度を決定する。
図９（ｄ）では、位置Ａから増大を開始した目標付加減速度の増大率が閾値Ｒｍａｘを上回っている場合を示している。この場合、トルク低減量決定部６３は、増大率＝Ｒｍａｘとなるように（即ち一点鎖線で示した目標付加減速度よりも緩やかな増大率で）付加減速度を増大させる。また、位置Ａと位置Ｂとの間において目標付加減速度がほぼ一定に保たれている場合、トルク低減量決定部６３は、付加減速度＝目標付加減速度として決定する。
【００７５】
また、上述したように、図６のステップＳ３３において操舵速度の絶対値が減少している場合、トルク低減量決定部６３は、操舵速度の最大時における付加減速度を保持する。図９（ｄ）では、位置Ｂに向かって操舵速度が減少している場合、それに伴って一点鎖線により示す目標付加減速度も減少するが、実線により示す付加減速度は最大値を位置Ｂまで維持する。
【００７６】
更に、上述したように、図６のステップＳ３１において、操舵角の絶対値が一定又は減少中である場合、トルク低減量決定部６３は、ステップＳ３７において減速度減少量を取得し、その減速度減少量により付加減速度を減少させる。図９（ｄ）では、トルク低減量決定部６３は、付加減速度の減少率が徐々に小さくなるように、即ち付加減速度の変化を示す実線の傾きが徐々に緩やかになるように、付加減速度を減少させる。
【００７７】
図９（ｅ）は、図９（ｄ）に示した付加減速度に基づき決定されたトルク低減量の変化を示す線図である。図９（ｅ）における横軸は時間を示し、縦軸はトルク低減量を示す。
上述したように、トルク低減量決定部６３は、付加減速度を実現するために必要となるトルク低減量を、現在の車速、ギヤ段、路面勾配等のパラメータに基づき決定する。従って、これらのパラメータが一定である場合、トルク低減量は、図９（ｄ）に示した付加減速度の変化と同様に変化するように決定される。
【００７８】
図９（ｆ）は基本目標トルクの変化を示す線図である。図９（ｆ）における横軸は時間を示し、縦軸はトルクを示す。
図９（ｆ）の例では、アクセル開度、車速、ギヤ段等に基づき設定された目標加速度を実現するように決定された基本目標トルクは、一定となっている。
【００７９】
図９（ｇ）は基本目標トルクとトルク低減量とに基づき決定された最終目標トルクの変化を示す線図である。図９（ｇ）における横軸は時間を示し、縦軸はトルクを示す。また、図９（ｇ）における点線は図９（ｆ）に示した基本目標トルクを示し、実線は最終目標トルクを示す。
図６を参照して説明したように、最終目標トルク決定部６５は、ステップＳ１３において決定した基本目標トルクから、ステップＳ１４のトルク低減量決定処理において決定したトルク低減量を減算することにより、最終目標トルクを決定する。これにより、図９（ｇ）に実線で示すように、トルク低減量の変化が最終目標トルクに反映される。
【００８０】
図９（ｈ）は最終目標トルクに基づき決定された目標空気量と実空気量との変化を示す線図である。図９（ｈ）における横軸は時間を示し、縦軸は空気量を示す。また、図９（ｈ）における一点鎖線は図９（ｇ）に示した最終目標トルクに対応する目標空気量を示し、実線は最終目標トルクに応じたスロットルバルブ６及び可変吸気バルブ機構１８の制御により実際に燃焼室１１に導入された実空気量を示す。
図９（ｈ）に示すように、目標空気量が最終目標トルクの時間変化に同期して変化するが、目標空気量の変化に対して実空気量の応答に遅れが生じている。即ち、目標空気量が低下するときには実空気量が過剰となっている。
更に、上記のように、図５のステップＳ１７において目標空気量が最低空気量より小さい場合、最低空気量が目標空気量として設定され、その目標空気量の空気が燃焼室１１に導入されるようにスロットルバルブ６の開度と、可変吸気バルブ機構１８を介した吸気バルブ１２の開閉時期が決定される。即ち、エンジン１０の運転状態がコンプレッサ４ａにより過給を行う過給領域にあり、エアバイパスバルブ９を閉状態に維持するために最低空気量以上の空気量が必要な場合には、燃焼室１１に導入される空気が最低空気量を下回ることがないようにスロットルバルブ６及び可変吸気バルブ機構１８の制御が制限されている。
【００８１】
図９（ｉ）は最終目標トルクと実際の空気量とに基づき決定された目標点火時期を、目標空気量の空気が燃焼室１１に導入された場合に最終目標トルクをエンジン１０により出力させるために必要な点火時期（以下、基本点火時期と称する）を基準として表した線図である。図９（ｉ）における横軸は時間を示し、縦軸は基本点火時期を基準とした点火時期（進角が正、遅角が負）を示す。
図９（ｈ）に示したように、最終目標トルクの低下に応じて目標空気量が低下する場合、実空気量の応答に遅れが生じ、目標空気量に対して実空気量が過剰となるので、実空気量の減少分だけでは最終目標トルクの低下を実現できない。そこで、最終目標トルクと実空気量とに基づいて目標点火時期を基本点火時期よりも遅角側に設定することにより、最終目標トルクの低下を実現するようにしている。
更に、図９（ｈ）に示したように、燃焼室１１に導入される空気が最低空気量を下回ることがないようにスロットルバルブ６及び可変吸気バルブ機構１８の制御が制限されている場合、トルク低減量の増加に対応する最終目標トルクの低下に対して空気量の低下が十分ではないので、最終目標トルクをエンジン１０により出力させるために必要な目標点火時期を設定し、この目標点火時期に従って点火時期を遅角させることにより、最終目標トルクの低下を実現するようにしている。
【００８２】
図９（ｊ）は、図９（ｂ）に示したように操舵が行われる車両において、図９（ｇ）に示した最終目標トルクを実現するようにエンジン１０の制御を行った場合に車両に発生するヨーレート（実ヨーレート）の変化と、図９（ｅ）に示したトルク低減量に対応する制御を行わなかった場合（即ち図９（ｇ）に示した基本目標トルクを実現するようにエンジン１０の制御を行った場合）の実ヨーレートの変化とを示す線図である。図９（ｊ）における横軸は時間を示し、縦軸はヨーレートを示す。また、図９（ｊ）における実線は、最終目標トルクを実現するようにエンジン１０の制御を行った場合の実ヨーレートの変化を示し、点線は、トルク低減量に対応する制御を行わなかった場合の実ヨーレートの変化を示す。
位置Ａにおいて右向きの操舵が開始され、右向きの操舵速度が増大するにつれて図９（ｅ）に示したようにトルク低減量を増大させると、車両の操舵輪である前輪の荷重が増加する。その結果、前輪と路面との間の摩擦力が増加し、前輪のコーナリングフォースが増大するため、車両の回頭性が向上する。即ち、図９（ｊ）に示すように、位置Ａと位置Ｂとの間において、トルク低減量に対応する制御を行わなかった場合（点線）よりも、トルク低減量を反映した最終目標トルクを実現するようにエンジン１０の制御を行った場合（実線）の方が、車両に発生する時計回り（ＣＷ）のヨーレートが大きくなる。
また、図９（ｄ）、（ｅ）に示したように、位置Ｂに向かって操舵速度が減少するとき目標付加減速度も減少するが、トルク低減量を最大値のまま維持しているので、操舵の切り込みが継続されている間は前輪に付加した荷重が維持され、車両の回頭性が保たれる。
更に、位置Ｂから位置Ｃにおいて操舵角の絶対値が一定である場合、トルク低減量を滑らかに減少させるので、操舵の切り込みの終了に応じて徐々に前輪に付加した荷重を低減し、前輪のコーナリングフォースを減少させることにより車体を安定させつつ、エンジン１０の出力トルクを回復させる。
【００８３】
次に、図１０を参照して、本発明の第２実施形態によるターボ過給機付きエンジンの制御装置により実行されるエンジン制御処理を説明する。図１０は、本発明の第２実施形態によるターボ過給機付きエンジンの制御装置がエンジンを制御するエンジン制御処理のフローチャートである。
なお、この図１０の制御におけるステップＳ４１〜Ｓ４５及びＳ５５〜Ｓ５７の各処理は、図５を参照して説明した第１実施形態のエンジン制御処理におけるステップＳ１１〜Ｓ１５及びＳ２４〜Ｓ２６の各処理と同様であるので、説明を省略する。
【００８４】
図１０に示した第２実施形態によるエンジン制御処理では、エンジン１０の運転状態がコンプレッサ４ａにより過給を行う過給領域にある場合、トルク低減量の変化に対応する最終目標トルクの低下に応じた吸入空気量の低下を禁止するようにしている。
【００８５】
即ち、ステップＳ４５において、ステップＳ４３において決定した基本目標トルクから、ステップＳ４４のトルク低減量決定処理において決定したトルク低減量を減算することにより、最終目標トルクを決定した後、ステップＳ４６において、最終目標トルク決定部６５は、エンジン１０の運転状態がコンプレッサ４ａにより過給を行う過給領域にあるか否かを判定する。
具体的には、最終目標トルク決定部６５は、負荷とエンジン回転数とによって規定される運転状態を、コンプレッサ４ａにより過給を行う過給領域と過給を行わない非過給領域とに区分した過給マップ（予め作成されてメモリなどに記憶されている）を参照し、ステップＳ４３において決定した基本目標トルク及び現在のエンジン回転数に対応する運転状態が過給領域又は非過給領域の何れの運転領域に該当するかを判定する。
【００８６】
その結果、エンジン１０の運転状態が過給領域にある場合、ステップＳ４７進み、最終目標トルク決定部６５は、ステップＳ４３において決定した基本目標トルクをエンジン１０により出力させるための目標空気量及び目標当量比を決定する。
即ち、エンジン制御部６７は、ステップＳ４６において、エンジン１０の運転状態が過給領域にあると判定した場合には、トルク低減量の変化に対応する最終目標トルクの低下に応じて吸入空気量を低下させる制御を禁止し、基本目標トルクの変化に対応する最終目標トルクの変化に応じて吸入空気量を制御する。
【００８７】
一方、ステップＳ４６においてエンジン１０の運転状態が過給領域にない（非過給領域にある）場合、ステップＳ４８に進み、最終目標トルク決定部６５は、ステップＳ４５において決定した、トルク低減量を反映した最終目標トルクをエンジン１０により出力させるための目標空気量及び目標当量比を決定する。
【００８８】
次に、ステップＳ４９において、エンジン制御部６７は、ステップＳ４７又はＳ４８において決定した目標空気量の空気がエンジン１０に導入されるように、エアフローセンサ３１が検出した空気量を考慮して、スロットルバルブ６の開度と、可変吸気バルブ機構１８を介した吸気バルブ１２の開閉時期とを決定する。
【００８９】
次に、ステップＳ５０において、エンジン制御部６７は、ステップＳ４９において設定したスロットル開度及び吸気バルブ１２の開閉時期に基づき、スロットルバルブ６及び可変吸気バルブ機構１８を制御するとともに、ステップＳ４７又はＳ４８において決定した目標当量比と、エアフローセンサ４１の検出信号Ｓ１４１等に基づき推定した実空気量とに基づき燃料噴射弁１３を制御する。
【００９０】
次に、ステップＳ５１において、エンジン制御部６７は、ステップＳ４７又はＳ４８において決定した目標空気量と、エアフローセンサ３１の検出信号Ｓ１３１等に基づき推定した実空気量との差が所定値以上か否かを判定する。
【００９１】
その結果、目標空気量と実空気量との差が所定値以上である場合、ステップＳ５２に進み、エンジン制御部６７は、ステップＳ４５において決定した最終目標トルクと、ステップＳ５０におけるスロットルバルブ６及び可変吸気バルブ機構１８の制御により実際に燃焼室１１に導入された実空気量とに基づき、目標点火時期を設定する。
【００９２】
次に、ステップＳ５３において、エンジン制御部６７は、ステップＳ４２において決定した目標点火時期に点火が行われるように、点火プラグ１４を制御する。
【００９３】
また、ステップＳ５２において、目標空気量と実空気量との差が所定値以上ではない（目標空気量と実空気量との差が所定値未満である）場合、ステップＳ５４に進み、エンジン制御部６７は、目標空気量の空気が燃焼室１１に導入された場合に最終目標トルクをエンジン１０により出力させるために必要な基本点火時期に点火が行われるように、点火プラグ１４を制御する。この場合の基本点火時期は、目標空気量とエンジン回転数に対応する点火進角マップにおいて、ノッキングが発生しない範囲で可能な限りＭＢＴに近い時期に設定されている。
【００９４】
次に、本発明の実施形態のさらなる変形例を説明する。
上述した実施形態においては、トルク低減量決定部６３は、操舵速度に基づき目標付加減速度を取得し、この目標付加減速度に基づいてトルク低減量を決定すると説明したが、アクセルペダルの操作以外の車両の運転状態（操舵角、ヨーレート、スリップ率等）に基づきトルク低減量を決定するようにしてもよい。
例えば、トルク低減量決定部６３は、操舵角及び車速から算出した目標ヨーレートや、ヨーレートセンサから入力されたヨーレートに基づき、車両に発生させるべき目標ヨー加速度を算出し、その目標ヨー加速度に基づき目標付加減速度を取得して、トルク低減量を決定するようにしてもよい。あるいは、加速度センサにより、車両の旋回に伴って発生する横加速度を検出し、この横加速度に基づきトルク低減量を決定するようにしてもよい。あるいは、トルク低減量決定部６３は、目標付加減速度とは異なる要求（例えば、加減速時のパワートレインの振動を打ち消すために必要なトルク）に基づきトルク低減量を決定するようにしてもよい。
【００９５】
次に、上述した本発明の実施形態及び本発明の実施形態の変形例によるターボ過給機付きエンジンの制御装置の効果を説明する。
【００９６】
まず、エンジン制御部６７は、エンジン１０の運転状態がコンプレッサ４ａにより過給を行う過給領域にある場合、アクセルペダルの操作以外の車両の運転状態に基づき決定したトルク低減量の変化に対応する最終目標トルクの低下に応じた吸入空気量の低下を制限するので、トルク低減量の変化に応じてそのまま吸入空気量を低下させることによりコンプレッサ４ａの通過流量が減少してサージングが発生することを抑制でき、これにより、サージングを回避するためにエアバイパスバルブ９が開くことによる過給圧の低下を抑制することができ、加速レスポンスの悪化を抑制しつつ、ドライバの意図した車両挙動を正確に実現するようにエンジンを制御することができる。
【００９７】
特に、エンジン制御部６７は、エンジン１０の運転状態が過給領域にある場合、トルク低減量の変化に対応する最終目標トルクの低下に応じた吸入空気量の低下を禁止するので、トルク低減量の変化に応じて吸入空気量を低下させることによりコンプレッサ４ａの通過流量が減少してサージングが発生することを確実に防止でき、これにより、サージングを回避するためにエアバイパスバルブ９が開くことによる過給圧の低下を防止して加速レスポンスの悪化を確実に抑制しつつ、ドライバの意図した車両挙動を正確に実現するようにエンジンを制御することができる。
【００９８】
また、エンジン制御部６７は、エンジン１０の運転状態が過給領域にある場合、コンプレッサ４ａを通過する吸気の流量が所定流量以上となるように、トルク低減量の変化に対応する最終目標トルクの低下に応じた吸入空気量の低下を制限するので、トルク低減量の変化に応じて吸入空気量を減少させることによりコンプレッサ４ａの通過流量が所定流量未満まで減少してサージングが発生することを抑制でき、これにより、サージングを回避するためにエアバイパスバルブ９が開くことによる過給圧の低下を抑制して加速レスポンスの悪化を防ぐことができる。
【００９９】
特に、エンジン制御部６７は、エンジン１０の運転状態が過給領域にある場合、コンプレッサ４ａを通過する吸気の流量が最小コンプレッサ通過流量以上となるように、トルク低減量の変化に対応する最終目標トルクの低下に応じた吸入空気量の低下を制限するので、トルク低減量の変化に応じて吸入空気量を減少させることによりコンプレッサ４ａの通過流量が最小コンプレッサ通過流量未満まで減少してサージングが発生することを確実に防止でき、これにより、サージングを回避するためにエアバイパスバルブ９が開くことによる過給圧の低下を確実に防止して加速レスポンスの悪化を防ぐことができる。
【０１００】
また、トルク低減量決定部６３は、車両のステアリング操作に応じてトルク低減量を決定するので、ステアリング操作に基づき決定されたトルク低減量の時間変化を最終目標トルクの時間変化に反映することができ、これにより、ドライバのステアリング操作に応じた減速度を車両に迅速に付加して荷重を前輪に加え、コーナリングフォースを迅速に増大させることによりステアリング操作に対する応答性を向上させることができ、ドライバの意図した車両挙動を正確に実現するようにエンジン１０を制御することができる。
【符号の説明】
【０１０１】
１  吸気通路
４  ターボ過給機
４ａ  コンプレッサ
６  スロットルバルブ
９  エアバイパスバルブ
１０  エンジン
１３  燃料噴射弁
１４  点火プラグ
１８  可変吸気バルブ機構
２５  排気通路
３１  ＷＧバルブ
４０  アクセル開度センサ
５３  車速センサ
５４  操舵角センサ
６０  ＰＣＭ
６１  基本目標トルク決定部
６３  トルク低減量決定部
６５  最終目標トルク決定部
６７  エンジン制御部
１００  エンジンシステム
【図１】
0006296425.tif 000002
【図２】
0006296425.tif 000003
【図３】
0006296425.tif 000004
【図４】
0006296425.tif 000005
【図５】
0006296425.tif 000006
【図６】
0006296425.tif 000007
【図７】
0006296425.tif 000008
【図８】
0006296425.tif 000009
【図９】
0006296425.tif 000010
【図１０】
0006296425.tif 000011